(57)【要約】【課題】無線通信手段を備えた端末装置（例えば、ＰＣ）と周辺装置（例えば、複合機）とを、簡単にアドホック接続できるようにする。【解決手段】端末装置の無線通信手段１１１は、接続情報報知信号を周期的に発信する報知信号送信部３１１と、前記接続情報報知信号の送信間隔を制御する報知信号送信制御部３１２とを備え、周辺装置の無線通信手段１２１は、前記接続情報報知信号を受信する報知信号受信部３２１と、前記報知信号受信部によって受信された接続情報報知信号の受信間隔を測定する報知信号測定部３２２と、前記報知信号測定部による測定結果に基づいて、当該接続情報報知信号を発信している端末装置が、接続すべき端末装置か否かを判別する接続先判別部３２３とを備える。【選択図】図３
2007006157.tif 000002
【特許請求の範囲】
【請求項１】
無線接続可能な端末装置と周辺装置とを備えた無線通信システムであって、
前記端末装置は、
接続情報報知信号を周期的に発信する報知信号送信部と、
前記接続情報報知信号の送信間隔を制御する報知信号送信制御部と
を備え、
前記周辺装置は、
前記接続情報報知信号を受信する報知信号受信部と、
前記報知信号受信部によって受信された接続情報報知信号の受信間隔を測定する報知信号測定部と、
前記報知信号測定部による測定結果に基づいて、当該接続情報報知信号を発信している端末装置が、接続すべき端末装置か否かを判別する接続先判別部と
を備えたことを特徴とする無線通信システム。
【請求項２】
無線接続可能な端末装置と周辺装置とを備えた無線通信システムであって、
前記端末装置は、
接続情報報知信号を周期的に発信する報知信号送信部と、
前記接続情報報知信号の送信レベルを制御する報知信号送信制御部と
を備え、
前記周辺装置は、
前記接続情報報知信号を受信する報知信号受信部と、
前記報知信号受信部によって受信された接続情報報知信号の受信レベルを測定する報知信号測定部と、
前記報知信号測定部による測定結果に基づいて、当該接続情報報知信号を発信している端末装置が、接続すべき端末装置か否かを判別する接続先判別部と
を備えたことを特徴とする無線通信システム。
【請求項３】
無線接続可能な端末装置と周辺装置とを備えた無線通信システムであって、
前記端末装置は、
接続情報として特定のネットワークＩＤを含む接続情報報知信号を周期的に発信する報知信号送信部を備え、
前記周辺装置は、
前記端末装置によって発信される接続情報報知信号を受信する報知信号受信部と、
前記報知信号受信部によって受信された接続情報報知信号に接続情報として含まれているネットワークＩＤに基づいて、当該接続情報報知信号を発信している端末装置が、接続すべき端末装置か否かを判別する接続先判別部と
を備えた
ことを特徴とする無線通信システム。
【請求項４】
端末装置と無線接続されて利用される周辺装置であって、
前記端末装置によって発信される接続情報報知信号を受信する報知信号受信部と、
前記報知信号受信部によって受信された接続情報報知信号の受信間隔を測定する報知信号測定部と、
前記報知信号測定部による測定結果に基づいて、当該接続情報報知信号を発信している端末装置が、接続すべき端末装置か否かを判別する接続先判別部と
を備えた
ことを特徴とする周辺装置。
【請求項５】
端末装置と無線接続されて利用される周辺装置であって、
前記端末装置によって発信される接続情報報知信号を受信する報知信号受信部と、
前記報知信号受信部によって受信された接続情報報知信号の受信レベルを測定する報知信号測定部と、
前記報知信号測定部による測定結果に基づいて、当該接続情報報知信号を発信している端末装置が、接続すべき端末装置か否かを判別する接続先判別部と
を備えた
ことを特徴とする周辺装置。
【請求項６】
端末装置と無線接続されて利用される周辺装置であって、
前記端末装置によって発信される接続情報報知信号を受信する報知信号受信部と、
前記報知信号受信部によって受信された接続情報報知信号に接続情報として含まれているネットワークＩＤに基づいて、当該接続情報報知信号を発信している端末装置が、接続すべき端末装置か否かを判別する接続先判別部と
を備えた
ことを特徴とする周辺装置。
【請求項７】
接続情報報知信号を周期的に発信する報知信号送信部と、
前記接続情報報知信号の送信間隔を制御する報知信号送信制御部と
を備えたことを特徴とする端末装置。
【請求項８】
接続情報報知信号を周期的に発信する報知信号送信部と、
前記接続情報報知信号の送信レベルを制御する報知信号送信制御部と
を備えたことを特徴とする端末装置。
【請求項９】
端末装置によって発信される接続情報報知信号を受信し、
受信した接続情報報知信号の受信間隔を測定し、
当該測定結果に基づいて、前記接続情報報知信号を発信している端末装置が、接続すべき端末装置か否かを判別する
ことを特徴とする端末装置の判別方法。
【請求項１０】
端末装置によって発信される接続情報報知信号を受信し、
受信した接続情報報知信号の受信レベルを測定し、
当該測定結果に基づいて、前記接続情報報知信号を発信している端末装置が、接続すべき端末装置か否かを判別する
ことを特徴とする端末装置の判別方法。
【請求項１１】
端末装置によって発信される接続情報報知信号を受信し、
受信した接続情報報知信号に接続情報として含まれているネットワークＩＤに基づいて、当該接続情報報知信号を発信している端末装置が、接続すべき端末装置か否かを判別する
ことを特徴とする端末装置の判別方法。
【発明の詳細な説明】
【技術分野】
【０００１】
本発明は、無線通信システムに関し、特に、無線通信によってデータの送受信を行う場合に、接続先となる端末装置を判別する方法に関する。
【背景技術】
【０００２】
従来から、有線ＬＡＮを用いたネットワーク通信が広く利用されているが、最近では、無線通信の高速化や、規格化による相互接続性などの改善もあり、無線によるネットワーク環境が拡大しつつある。特に、ＩＥＥＥ８０２．１１系無線ＬＡＮや、Ｂｌｕｅｔｏｏｔｈなどの近距離無線通信を用いたデータの送受信が利用され始めている。
【０００３】
プリンター等の印刷装置や、プリント・複写・スキャナー・ＦＡＸ機能等を併せ持つ複合機に、このような無線通信機能を搭載することで、オフィス、店舗、公共スペース等において、無線通信機能を有するノート型パーソナルコンピュータ（ＰＣ）、携帯情報端末（ＰＤＡ）、携帯電話などの端末装置をワイヤレスで接続して、端末装置が保持している情報（電子文書等）をプリントすることが可能となっている。特に、外出先でプリントを行う必要が生じた場合等には、ワイヤレス接続による利便性は大きく、今後さらに無線印刷サービスの利用の拡大が予測される。
【０００４】
外出先など、あらかじめネットワークで接続された環境のない場所では、利用者が携帯する端末装置と、外出先などに設置された印刷装置等を、無線通信によりアドホックで接続する必要がある。
【０００５】
例えば、Ｂｌｕｅｔｏｏｔｈでは、デバイス検索とサービスディスカバリー（サービス発見）の機能があらかじめ考慮されており、周辺（１０ｍ程度）の範囲でＢｌｕｅｔｏｏｔｈ機能を搭載したデバイスを検出し、検出したデバイスがサポートしているサービスを取得することが可能である。しかし、Ｂｌｕｅｔｏｏｔｈにおける転送レートは規格上１Ｍｂｐｓ（実行最大速度７２０ｋｂｐｓ）程度であり、端末装置が保持する電子文書データをプリンターへ出力したり、複合機のスキャナー装置から読み込んだデータを端末装置に取り込む場面を想定すると、能力的に充分とはいえない。
【０００６】
これに対して、ＩＥＥＥ８０２．１１系無線ＬＡＮの無線通信手段を用いることで、転送レートは、１１Ｍｂｐｓ（実行速度４〜５Ｍｐｓ）、又は、５４Ｍｂｐｓ（実行速度２０Ｍｂｐｓ）と、有線ＬＡＮ並みの能力が期待でき、上記場面にも充分対応できるようになる。しかしながら、ＩＥＥＥ８０２．１１系無線ＬＡＮでは、アクセスポイント（基地局）に対する検索機能は用意されているが、周辺にある機器同士をアドホック接続するための検索機能まではサポートされていない。従って、外出先などで、アドホック接続することにより、無線ＬＡＮの帯域を有効に活用したプリント処理やスキャン処理を行うのは簡単ではなかった。
【０００７】
なお、特開２０００−３０５８８５号公報には、アドホックに生成されたネットワーク環境において、ユーザーが適切な通信相手を容易に指定できるようにするため、周囲に存在する通信デバイスを検出し、検出した通信デバイスの属性情報を取得し、取得した属性情報に応じて、検出した通信デバイスの中から選択した通信デバイスのみを、通信可能な通信デバイスとして表示部に表示させるようにした通信デバイスが開示されている。
【特許文献１】特開２０００−３０５８８５号公報
【発明の開示】
【発明が解決しようとする課題】
【０００８】
本発明の目的は、無線通信手段を備えた端末装置（例えば、ＰＣ）と周辺装置（例えば、複合機）とを、簡単にアドホック接続できるようにすることにある。
【課題を解決するための手段】
【０００９】
本発明に係る無線通信システムは、無線接続可能な端末装置と周辺装置とを備えた無線通信システムであって、前記端末装置は、接続情報報知信号を周期的に発信する報知信号送信部と、前記接続情報報知信号の送信間隔を制御する報知信号送信制御部とを備え、前記周辺装置は、前記接続情報報知信号を受信する報知信号受信部と、前記報知信号受信部によって受信された接続情報報知信号の受信間隔を測定する報知信号測定部と、前記報知信号測定部による測定結果に基づいて、当該接続情報報知信号を発信している端末装置が、接続すべき端末装置か否かを判別する接続先判別部とを備えたことを特徴とする。
【００１０】
また、本発明に係る別の無線通信システムは、無線接続可能な端末装置と周辺装置とを備えた無線通信システムであって、前記端末装置は、接続情報報知信号を周期的に発信する報知信号送信部と、前記接続情報報知信号の送信レベルを制御する報知信号送信制御部とを備え、前記周辺装置は、前記接続情報報知信号を受信する報知信号受信部と、前記報知信号受信部によって受信された接続情報報知信号の受信レベルを測定する報知信号測定部と、前記報知信号測定部による測定結果に基づいて、当該接続情報報知信号を発信している端末装置が、接続すべき端末装置か否かを判別する接続先判別部とを備えたことを特徴とする。
【００１１】
また、本発明に係る更に別の無線通信システムは、無線接続可能な端末装置と周辺装置とを備えた無線通信システムであって、前記端末装置は、接続情報として特定のネットワークＩＤを含む接続情報報知信号を周期的に発信する報知信号送信部を備え、前記周辺装置は、前記端末装置によって発信される接続情報報知信号を受信する報知信号受信部と、前記報知信号受信部によって受信された接続情報報知信号に接続情報として含まれているネットワークＩＤに基づいて、当該接続情報報知信号を発信している端末装置が、接続すべき端末装置か否かを判別する接続先判別部とを備えたことを特徴とする。
【００１２】
本発明に係る周辺装置は、端末装置と無線接続されて利用される周辺装置であって、前記端末装置によって発信される接続情報報知信号を受信する報知信号受信部と、前記報知信号受信部によって受信された接続情報報知信号の受信間隔を測定する報知信号測定部と、前記報知信号測定部による測定結果に基づいて、当該接続情報報知信号を発信している端末装置が、接続すべき端末装置か否かを判別する接続先判別部とを備えたことを特徴とする。
【００１３】
また、本発明に係る別の周辺装置は、端末装置と無線接続されて利用される周辺装置であって、前記端末装置によって発信される接続情報報知信号を受信する報知信号受信部と、前記報知信号受信部によって受信された接続情報報知信号の受信レベルを測定する報知信号測定部と、前記報知信号測定部による測定結果に基づいて、当該接続情報報知信号を発信している端末装置が、接続すべき端末装置か否かを判別する接続先判別部とを備えたことを特徴とする。
【００１４】
また、本発明に係る更に別の周辺装置は、端末装置と無線接続されて利用される周辺装置であって、前記端末装置によって発信される接続情報報知信号を受信する報知信号受信部と、前記報知信号受信部によって受信された接続情報報知信号に接続情報として含まれているネットワークＩＤに基づいて、当該接続情報報知信号を発信している端末装置が、接続すべき端末装置か否かを判別する接続先判別部とを備えたことを特徴とする。
【００１５】
本発明に係る端末装置は、接続情報報知信号を周期的に発信する報知信号送信部と、前記接続情報報知信号の送信間隔を制御する報知信号送信制御部とを備えたことを特徴とする。
【００１６】
また、本発明に係る別の端末装置は、接続情報報知信号を周期的に発信する報知信号送信部と、前記接続情報報知信号の送信レベルを制御する報知信号送信制御部とを備えたことを特徴とする。
【００１７】
本発明に係る端末装置の判別方法は、端末装置によって発信される接続情報報知信号を受信し、受信した接続情報報知信号の受信間隔を測定し、当該測定結果に基づいて、前記接続情報報知信号を発信している端末装置が、接続すべき端末装置か否かを判別することを特徴とする。
【００１８】
また、本発明に係る別の端末装置の判別方法は、端末装置によって発信される接続情報報知信号を受信し、受信した接続情報報知信号の受信レベルを測定し、当該測定結果に基づいて、前記接続情報報知信号を発信している端末装置が、接続すべき端末装置か否かを判別することを特徴とする。
【００１９】
また、本発明に係る更に別の端末装置の判別方法は、端末装置によって発信される接続情報報知信号を受信し、受信した接続情報報知信号に接続情報として含まれているネットワークＩＤに基づいて、当該接続情報報知信号を発信している端末装置が、接続すべき端末装置か否かを判別することを特徴とする。
【発明の効果】
【００２０】
本発明によれば、周辺装置は、接続すべき端末装置を判別することが可能となり、端末装置と周辺装置とを、簡単にアドホック接続できるようになる。
【発明を実施するための最良の形態】
【００２１】
以下、本発明の実施の形態について、図面を参照しつつ詳細に説明する。
【００２２】
図１は、本発明が適用される無線通信システムの構成を示す図である。同図に示すように、本発明が適用される無線通信システム１００は、端末装置１１０と、周辺装置１２０とを備える。
【００２３】
端末装置１１０は、無線通信手段１１１を備えており、周辺装置１２０と無線接続されて、周辺装置１２０が提供する機能を利用するものである。端末装置１１０には、例えば、無線通信機能を有するパーソナルコンピュータ（ＰＣ）やＰＤＡ等が該当する。
【００２４】
周辺装置１２０は、無線通信手段１２１を備えており、端末装置１１０と無線接続されて、端末装置１１０に対して所定の機能（例えば、プリント機能やスキャナー機能）を提供するものである。周辺装置１２０には、例えば、無線通信機能を有するプリンターや複合機等が該当する。
【００２５】
なお、無線通信手段１１１及び１２１が実装する無線規格としては、例えば、ＩＥＥＥ８０２．１１ｂや１１ｇ等のＩＥＥＥ８０２．１１系無線ＬＡＮが挙げられる。
【００２６】
端末装置１１０は、無線接続に必要な情報を周囲に報知するための信号（以下、接続情報報知信号という）をブロードキャストで周期的に発信し、周辺装置１２０は、この接続情報報知信号に基づいて、端末装置１１０が、接続すべき端末装置であるか否かを判別する。端末装置１１０及び周辺装置１２０の動作の詳細については後述する。
【００２７】
図２は、無線通信手段１１１，１２１のハードウェア構成例を示す図である。
【００２８】
同図に示すように、無線通信手段１１１，１２１は、アンテナ部２０１と、ＲＦ処理部２０２と、メディア・アクセス・コントロール（ＭＡＣ）部２０３と、インタフェース部２０４と、ＣＰＵ２０５と、ＲＯＭ２０６と、ＲＡＭ２０７とを備える。
【００２９】
アンテナ部２０１は、ＲＦ処理部２０２に接続されており、ＲＦ処理部２０２は、ＭＡＣ部２０３に接続されており、ＭＡＣ部２０３は、インタフェース部２０４に接続されている。また、ＣＰＵ２０５、ＲＯＭ２０６、ＲＡＭ２０７及びインタフェース部２０４は、それぞれ、バス２１０に接続されている。
【００３０】
アンテナ部２０１は、電波の送受信を行うものである。ＲＦ処理部２０２は、送受信信号の変復調等を行うものである。ＭＡＣ部２０３は、例えば、ＩＥＥＥ８０２．１１プロトコル処理等を行うものである。インタフェース部２０４は、バス２１０とＭＡＣ部２０３と間のデータのやり取りを制御するものである。
【００３１】
ＣＰＵ２０５は、無線通信手段１１１，１２１の各種動作を制御する主制御部である。ＲＯＭ２０６は、ＣＰＵ２０５によって実行されるプログラム等が記憶されるメモリであり、ＲＡＭ２０７は、ＣＰＵ２０５によって利用されるデータ等が一時的に記憶されるメモリである。
【００３２】
図３は、無線通信手段１１１及び１２１の機能構成を示す図である。
【００３３】
同図に示すように、無線通信手段１１１は、報知信号送信部３１１と、報知信号送信制御部３１２とを備える。報知信号送信部３１１及び報知信号送信制御部３１２は、基本的に、所定のプログラム（ファームウェア）によって制御されるＭＡＣ部２０３及びＲＦ処理部２０２によって実現される。
【００３４】
報知信号送信部３１１は、接続情報報知信号をブロードキャストで周期的に発信するものである。この接続情報報知信号は、通常は、あらかじめ定められた一定の間隔で（例えば、１００ｍｓｅｃ毎に）発信されるものであって、発信元の端末装置に無線接続するための接続情報として、ネットワークＩＤ、使用周波数帯域情報、通信モード、暗号化のフラグ情報などを含むものである。
【００３５】
報知信号送信制御部３１２は、報知信号送信部３１１によって行われる接続情報報知信号の送信を制御するものである。例えば、報知信号送信制御部３１２は、報知信号送信部３１１によって送信される接続情報報知信号の送信間隔を変化させる。この場合、報知信号送信制御部３１２は、あらかじめ周辺装置１２０（無線通信手段１２１）との間で定めた（通常とは異なる）特定の間隔で発信させるようにしてもよいし、発信間隔をあらかじめ定めたパターンに従って周期的に変化させるようにしてもよい。
【００３６】
また、同図に示すように、無線通信手段１２１は、報知信号受信部３２１と、報知信号測定部３２２と、接続先判別部３２３と、無線接続設定部３２４とを備える。報知信号受信部３２１及び報知信号測定部３２２は、基本的に、所定のプログラム（ファームウェア）によって制御されるＭＡＣ部２０３及びＲＦ処理部２０２によって実現される。また、接続先判別部３２３及び無線接続設定部３２４は、基本的に、ＲＯＭ２０６に記憶されたプログラムをＣＰＵ２０５が実行することによって実現される。
【００３７】
報知信号受信部３２１は、無線通信手段１１１から発信された接続情報報知信号を受信するものである。報知信号測定部３２２は、報知信号受信部３２１によって受信された接続情報報知信号について測定を行うものである。例えば、報知信号測定部３２２は、報知信号受信部３２１によって受信された接続情報報知信号の受信間隔を測定する。
【００３８】
接続先判別部３２３は、報知信号測定部３２２によって測定された測定値に基づいて、当該接続情報報知信号を発信している端末装置が、接続すべき端末装置か否かを判別するものである。接続先判別部３２３は、例えば、接続先となる端末装置の発信間隔が登録された判別用テーブルを有しており、当該判別用テーブルに登録された値に基づいて、接続すべき端末装置か否かを判別する。なお、判別用テーブルは、複数の値（判断基準）を登録することができる。更に、判別用テーブルに複数の値を登録する場合は、各値を、その優先順位と対応付けて登録できるようにしてもよい。各値を優先順位と対応付けて登録することにより、接続先となる端末装置として複数の端末装置が検出された場合でも、優先順位に従って、接続すべき端末装置を特定することが可能になる。
【００３９】
無線接続設定部３２４は、接続先判別部３２３によって接続先と判別された端末装置の接続情報に基づいて、無線通信手段１２１の接続設定を行い、接続先となる端末装置１１０との無線接続を確立するものである。
【００４０】
なお、上述した報知信号送信制御部３１２では、接続情報報知信号の送信間隔を変化させていたが、接続情報報知信号の送信間隔を変化させる代りに、報知信号送信部３１１によって送信される接続情報報知信号の送信レベル（強度）を変化させるようにしてもよい。例えば、報知信号送信制御部３１２は、あらかじめ周辺装置１２０との間で定めた（通常とは異なる）特定の送信レベルで発信させるようにしてもよいし、発信レベルをあらかじめ定めたパターンに従って周期的に変化させるようにしてもよい（例えば、強から弱、弱から強など）。この場合、報知信号測定部３２２は、接続情報報知信号の受信間隔の代りに、報知信号受信部３２１によって受信された接続情報報知信号の受信レベルを測定し、接続先判別部３２３は、当該測定された測定値に基づいて、当該接続情報報知信号を発信している端末装置が、接続すべき端末装置か否かを判別する。
【００４１】
また、報知信号送信制御部３１２は、接続情報報知信号の送信間隔や送信レベルを変化させる代りに、あらかじめ周辺装置１２０との間で定めた特定のネットワークＩＤを、接続情報報知信号に含まれる接続情報に設定するようにしてもよい。この場合、接続先判別部３２３は、受信した接続情報報知信号に接続情報として含まれているネットワークＩＤに基づいて、当該接続情報報知信号を発信している端末装置が、接続すべき端末装置か否かを判別する。
【００４２】
次に、以上のような構成を有する無線通信システム１００の動作について説明する。
【００４３】
ここでは、周辺装置１２０が、スキャナー装置（画像読取装置）を備えているものとし、スキャナー装置を備えた周辺装置１２０を用いて、紙文書を電子データに変換し、当該電子データを、周辺装置１２０から端末装置１１０に転送する場合について説明する。また、ここでは、無線通信手段１１１の報知信号送信制御部３１２が、接続情報報知信号の送信間隔を変化させる場合について説明する。なお、報知信号送信制御部３１２が送信レベルを変化させる場合や、特定のネットワークＩＤを接続情報報知信号に含まれる接続情報に設定する場合の動作についても同様である。更に、ここでは、周辺装置１２０は、ＤＨＣＰサーバ機能を備えており、端末装置１１０は、ＤＨＣＰクライアント機能を備えているものとする。
【００４４】
図４は、無線通信システム１００における動作の流れを示す図である。
【００４５】
周辺装置１２０で読み取った電子データを、端末装置１１０に取り込む場合、まず、端末装置１１０の無線通信手段１１１を、データ取り込みモードで起動させる。データ取り込みモードで起動された端末装置１１０は、通常とは異なる特定の発信間隔で（例えば、８０ｍｓｅｃ毎に）、接続情報報知信号のブロードキャスト送信を行う。
【００４６】
次に、周辺装置１２０の無線通信手段１２１を検索モードで起動させて、接続先となる端末装置の検索を開始する。検索モードで起動された無線通信手段１２１は、各周波数帯域で接続情報報知信号を受信し、その情報を解析するとともに、接続情報報知信号の受信間隔を測定する。そして、測定した受信間隔が特定の間隔（例えば、８０ｍｓｅｃ毎）であるか否かによって、当該接続情報報知信号を発信している端末装置が、接続先となる端末装置であるか否かを判別する。判別の結果、接続先となる端末装置であった場合は、周辺装置１２０は、特定した端末装置１１０の接続設定情報に基づいて、無線通信手段１２１の接続設定を端末装置１１０用の接続設定に書き換えて、端末装置１１０と無線接続を確立する。
【００４７】
端末装置１１０は、周辺装置１２０との無線接続が確立されると、ＤＨＣＰを利用して、ＩＰアドレス等の設定情報を周辺装置１２０に要求する。そして、当該要求に応じて、周辺装置１２０から通知されるＩＰアドレス等を設定することで、端末装置１１０は、周辺装置１２０との間でＴＣＰ／ＩＰを利用した通信が可能となる。次に、周辺装置１２０は、端末装置１１０との間でＳＭＢなどのファイル共有プロトコルを使って特定のフォルダーを共有する。そして、周辺装置１２０のスキャナー装置を用いて紙文書を電子データに変換し、変換した電子データを、共有フォルダーに格納することによって、端末装置１１０に転送する。転送が完了すると、周辺装置１２０は、端末装置１１０との無線接続を切断し、デフォルトの接続設定に戻る。
【００４８】
図５は、周辺装置１２０における処理の流れを示すフローチャートである。
【００４９】
同図に示すように、まず、周囲の端末装置の検索を開始すると、周辺装置１２０は、接続情報報知信号の受信間隔を測定する（Ｓ５０１）。そして、測定した受信間隔が特定の間隔（例えば、８０ｍｓｅｃ毎）であるか否かを判別する（Ｓ５０２）。
【００５０】
判別の結果、測定した受信間隔が通常の間隔（例えば、１００ｍｓｅｃ毎）であった場合は（Ｓ５０２：Ｎｏ）、当該接続情報報知信号を発信している端末装置は、接続すべき端末装置ではないと判断し、接続情報報知信号に含まれている接続設定を操作パネルに表示だけして（Ｓ５０３）、処理を終了する。
【００５１】
一方、測定した受信間隔が特定の間隔（例えば、８０ｍｓｅｃ毎）であった場合は（Ｓ５０２：Ｙｅｓ）、当該接続情報報知信号を発信している端末装置は、接続すべき端末装置であると判断し、当該接続情報報知信号に含まれている端末装置の接続情報に基づいて、無線通信手段１２１の接続設定を行い（Ｓ５０４）、接続先となる端末装置１１０との無線接続を確立する（Ｓ５０５）。
【００５２】
端末装置１１０との無線接続が確立されると、周辺装置１２０は、確立された無線接続を利用して、端末装置１１０との間で所定の処理（例えば、データ転送）を行う（Ｓ５０６）。そして、所定の処理が完了すると、端末装置１１０との無線接続を切断し（Ｓ５０７）、無線通信手段１２１の接続設定をデフォルトの接続設定に戻して処理を終了する。
【００５３】
図６は、周辺装置１２０の操作パネル（ユーザインタフェース部）上に表示される操作画面例を示す図である。
【００５４】
同図（ａ）は、周囲の端末装置を検索した結果を示す操作画面例である。同図（ａ）に示すように、この場合、周辺装置１２０は、周囲の端末装置の検索を行った結果、３つの端末装置を検出している。この状態で、「接続開始」キー６０１を押すと、周辺装置１２０は、検出した３つの端末装置のうち、接続すべき端末装置と判別された端末装置との無線接続を確立する。なお、接続すべき端末装置と判別された端末装置が複数あった場合は、あらかじめ定めた優先順位に従って（あるいは、利用者の指示に従って）、一つの端末装置が選択されて、無線接続が確立される。
【００５５】
同図（ｂ）は、無線接続確立後に表示される操作画面例である。同図（ｂ）に示すように、ここでは、接続先情報と、データの転送先となる接続先フォルダーが表示されている。この状態において、「転送開始」キー６０２を押すと、周辺装置１２０から、端末装置１１０内の指定されたフォルダー（例えば、フォルダーＡ）に、周辺装置１２０で読み取られた電子データが転送される。また、「完了」キー６０３が押されると、周辺装置１２０は、端末装置１１０との無線接続を切断する。
【００５６】
以上説明したように、上記実施形態によれば、周辺装置は、接続先となる端末装置を判別することが可能となり、端末装置と周辺装置とを、簡単にアドホック接続できるようになる。また、周辺装置側で、端末装置の検索及び接続処理を実行するため、例えば、周辺装置が備えるスキャナー装置で読み取った電子データを端末装置に取り込む場合などは、効率よく作業を行うことができる。
【図面の簡単な説明】
【００５７】
【図１】本発明が適用される無線通信システムの構成を示す図である。
【図２】無線通信手段１１１，１２１のハードウェア構成例を示す図である。
【図３】無線通信手段１１１及び１２１の機能構成を示す図である。
【図４】無線通信システム１００における動作の流れを示す図である。
【図５】周辺装置１２０における処理の流れを示すフローチャートである。
【図６】周辺装置１２０の操作パネル上に表示される操作画面例を示す図である。
【符号の説明】
【００５８】
１００    無線通信システム
１１０    端末装置
１１１    無線通信手段
１２０    周辺装置
１２１    無線通信手段
２０１    アンテナ部
２０２    ＲＦ処理部
２０３    ＭＡＣ部
２０４    インタフェース部
２１０    バス
３１１    報知信号送信部
３１２    報知信号送信制御部
３２１    報知信号受信部
３２２    報知信号測定部
３２３    接続先判別部
３２４    無線接続設定部
【図１】
2007006157.tif 000003
【図２】
2007006157.tif 000004
【図３】
2007006157.tif 000005
【図４】
2007006157.tif 000006
【図５】
2007006157.tif 000007
【図６】
2007006157.tif 000008